(57)【要約】【課題】例えば、ＢＤＡＶが採用している画像圧縮技術MPEG２は一般的にデジタル放送でも利用され、普及している形式であり、様々な機器での利用が可能である。そのままデータを記録するため、高画質であるが、データ量が大きい。また、ＢＤＭＶが採用している画像圧縮技術Ｈ．２６４は、圧縮効率が高く、記録時間、容量への負荷を軽減できる。しかし、普及率が低く、再生できる機器が限定される。【解決手段】そこで例えば、ＢＤＡＶとＢＤＭＶの利点をより一層活かすよう、AVデータを切り分けて記録、再生、変換できる装置を提供する。具体的に、複数のフォーマットに対応した画像変換圧縮/伸張を行う機能を追加し、データ種類を判定する機能、また適応的に記録/変換/再生/出力データ種類を判断が可能な処理が可能な制御部ならびにそれらをユーザの任意または嗜好性で指定可能なユーザIF/制御部を備えた記録再生装置を提供する。【選択図】図１
2007334945.tif 000002
【特許請求の範囲】
【請求項１】
記録媒体にデータを記録する記録装置であって
放送された放送データが入力される入力部と、
前記入力部で入力された放送データを第１形式と第２形式のどちらで記録するかを切り替える記録切替部とを有する記録装置。
【請求項２】
請求項１の記録装置であって、
前記第１形式はＢＤＭＶ形式、前記第２形式はＢＤＡＶ形式である。
【請求項３】
請求項２の記録装置であって、
前記切替部でＢＤＭＶ形式で記録するよう切り替えられたとき、放送データをＭＰＥＧ２でデコードして、ＢＤＭＶ方式のＨ．２６４でエンコードする圧縮部を有する。
【請求項４】
請求項３の記録装置であって、
前記圧縮部は、前記切替部でＢＤＭＶ形式で記録するよう切り替えられたとき、放送データに含まれる付録データと画像音声情報を分離して、それぞれＢＤＭＶ形式に圧縮する。
【請求項５】
請求項１から４のいずれかの記録装置であって、
ユーザからの指示を受ける指示受付部を有し、
前記切替部は、前記指示受付部で受けた指示に基づいて切り替えを実行する。
【請求項６】
請求項１から５のいずれかの記録装置であって、
前記記録媒体は、Ｂｌｕ−ｒａｙディスクである。
【請求項７】
記録媒体に格納されている情報を変換する変換装置であって、
記録媒体に格納されている情報をＢＤＭＶ形式に変換する変換装置。
【請求項８】
請求項７の変換装置であって、
前記記録媒体はＢｌｕ−ｒａｙディスクであり、
Ｂｌｕ−ｒａｙディスクに記録されている情報はＢＤＡＶ形式である。
【請求項９】
記録媒体に格納されている情報を変換する変換装置であって、
記録媒体に格納されている情報をＢＤＡＶ形式に変換する変換装置。
【請求項１０】
請求項９の変換装置であって、
前記記録媒体はＢｌｕ−ｒａｙディスクであり、
Ｂｌｕ−ｒａｙディスクに記録されている情報はＢＤＭＶ形式である。
【発明の詳細な説明】
【技術分野】
【０００１】
技術分野は、記録媒体にデータを記録、再生、変換等する装置に関する。
【背景技術】
【０００２】
現在、記録媒体としてＤＶＤ（Digital Versatile Disc）の普及が進んでいる。さらに大容量の次世代光ディスクとして、ＢＤ（Blu-ray Disc）やＨＤ（High-Definition）−ＤＶＤの規格の詳細が議論され、また初期の製品が発売され始めている。
【０００３】
特にＢＤは、ＨＤ−ＤＶＤよりも大容量（１層で２５ＧＢ）であり、従来のＳＤ（Standard Definition：水平×垂直の画素が720×480（ＮＴＳＣの場合）又は780×576（ＰＡＬの場合））の画像よりもデータ量の多いＨＤ（High Definition：水平×垂直の画素が例えば1920×1080や1366×768）の画像を記録することに適していることから注目されている。このようなＢＤの技術として、例えば特許文献１や２がある。
【０００４】
【特許文献１】ＷＯ２００４／０７５５４７
【特許文献２】特開２００６−１２７７２１
【発明の開示】
【発明が解決しようとする課題】
【０００５】
高能率符号化技術の進展に伴い、映像・音声などにＡＶ（Audio / Visual）データをデジタルデータとして符号量圧縮し、ハードディスクや光ディスクなどの記録媒体に記録することが可能となっている。また、そのことにより、ハードディスクや光ディスクなどの記録媒体に用いた、プレーヤやレコーダといったＡＶ機器が普及している。これらのプレーヤやレコーダで用いられるＤＶＤなどを初めとした光ディスクでは、ＡＶデータは高能率符号化技術によりデータ圧縮され、その管理情報と共に所定のフォーマットに則った形でディスク上に記録されており、これらのデータを扱うためのファイルシステムやアプリケーションフォーマットも規定されている。さらに、現状の光ディスクよりも高機能の次世代の光ディスクでは、ＳＤ画像までしか扱えなかったＤＶＤよりも高解像度のＨＤ画像等の映像データまで取り扱うこと可能とするため、ファイルシステムやアプリケーションフォーマットもこれまでのデータフォーマットとは異なったものが必要となる。
【０００６】
ここでＢＤのフォーマットは、映画などのリードオンリーメディア向けのアプリケーションフォーマットや、放送記録などのリライタブルメディア向けのアプリケーションフォーマットが、それぞれ規定されている。それぞれＢＤＭＶ（BD MoVie）フォーマットとＢＤＡＶ（BD Audio / Visual）フォーマットという。
【０００７】
ＢＤＭＶフォーマットでは充実したインタラクティブメニューなどが実現可能であり、また、ピクチャインピクチャ機能やITU-TのVideo Coding Experts Groupで規定されたＨ．２６４／ＡＶＣ（Advanced Video Coding）規格などの高圧縮ストリームに対応するなど、従来のＤＶＤ−Ｖｉｄｅｏと比較すると、高機能な仕様となっている。また、ＢＤＡＶフォーマットでは、デジタル放送規格に準拠したストリーム形式を採用しており、また編集機能が充実しているため、放送された番組を記録するのに向いた仕様となっている。
【０００８】
これらのフォーマットはそれぞれ独自に使用されることを前提として策定されている。
【０００９】
しかしながら、双方のフォーマットに対応することでユーザに対してそれぞれのフォーマットの利点を提供できる。
【００１０】
それぞれのフォーマットの利点は例えば、ＢＤＡＶが採用している画像圧縮技術MPEG２は一般的にデジタル放送でも利用され、普及している形式であり、様々な機器での利用が可能である。そのままデータを記録するため、高画質であるが、データ量が大きい。また、ＢＤＭＶが採用している画像圧縮技術Ｈ．２６４は、圧縮効率が高く、記録時間、容量への負荷を軽減できる。しかし、普及率が低く、再生できる機器が限定される。そのため、用途に応じて使い分ける必要があると考えられる。BDAV、BDMV両方に対応した記録再生装置において、AVデータを切り分けて記録再生するだけでなく、ニーズに合わせて適応的に相互に変換できることは有用である。
【課題を解決するための手段】
【００１１】
そこで例えば、ＢＤＡＶとＢＤＭＶの利点をより一層活かす記録再生装置を提供する。
【００１２】
具体的に例えば、記録再生装置において、複数のフォーマットに対応した画像変換圧縮/伸張を行う機能を追加し、データ種類を判定する機能、また適応的に記録/変換/再生/出力データ種類を判断が可能な処理が可能な制御部ならびにそれらをユーザの任意または嗜好性で指定可能なユーザIF/制御部を備える記録再生装置を提供する。
【発明の効果】
【００１３】
上記手段によれば例えば、ユーザは複数のデータ形式の利点を享受できる。
【発明を実施するための最良の形態】
【００１４】
以下に、本発明の実施の形態を説明する。
【実施例１】
【００１５】
本発明の実施に好適な実施形態を、記録再生装置を例にして説明する。ただし、本発明は本実施例に限定されない。たとえば記録再生装置は、記録のみ、再生のみ、変換のみの機能を有するものであってもよい。
【００１６】
図1は、本実施例による記録再生装置の一例を示すブロック図であり、放送を受信して再生、記録媒体に記録、記録媒体に記録されているデータの再生し、再生出力、送信出力が可能な記録再生装置を示している。１００は記録再生装置、１０１１はアンテナから受信波を入力する入力端子、１０１２はアナログ映像信号を入力するためのアナログ映像入力端子、１０１３はアナログ音声信号を入力するためのアナログ音声入力端子、１０２、１０３は、アナログ信号をデジタル信号に変換するアナログ/デジタル(A/D)変換回路、１０４は復調回路、１０５は復調したデジタル信号を音声、映像、字幕、その他に分離する分離回路、１０６はデジタル化された映像及び音声、映像を圧縮、伸張する圧縮/伸張回路、１０７は記録媒体のドライブ機能を含めた記録再生系、1０８は記録するデータを暗号化するための暗号化回路、１０９は記録媒体のドライブ機能を含めた記録再生系、１１０はメディアなどの記録媒体、１１１は記録媒体上に暗号化され記録されたデータを復号化するための復号化回路、１１２は再生系信号処理回路、１１３は１０９に記録された映像及び音声、映像を圧縮、伸張する圧縮/伸張回路、１１４は切替回路、１１５は分離回路、１１６は映像復号回路、１１７はデジタル/アナログ(D/A)変換回路、１１８は映像出力端子、１１９は音声復号回路、１２０はD/A変換回路、１２１は音声出力端子、１２２は画面表示装置、１２３はユーザI/F、１２４は制御部、１２５はシステムバス、１２６はOSD生成部、１２７は外部端末と通信するための通信部、１２８は通信処理部、１２９はハードディスクなどの記録装置である。
【００１７】
図２は、本実施例における画像変換の実施例のブロック図である。２００はデータ入出力部、２０１はＢＤＡＶ形式で変換/記録された記録部分、２０２はＢＤＭＶ形式で変換/記録された記録部分、２０３はデータの種類ならびに変換処理についての判定し変換処理に必要な処理を行う判定処理/分離部、２０４はデータの種類ならびに変換処理についての判定し変換処理に必要な処理を行う合成部、２０５はＭＰＥＧ２のデコードを行うデコーダ、２０６は圧縮音声１デコードを行うデコーダ（例えばＡＡＣ（Advanced Audio Coding）方式）、２０７はＨ．２６４エンコードを行うエンコーダ、２０８は圧縮音声２エンコードを行うエンコーダ（例えばＡＣ−３（Audio Code number 3）方式）、２０９は付属情報を抽出しそれらを変換後に合成できるデータに変換する抽出/データ化処理部である。
【００１８】
図３は本実施例における画像変換の実施例の処理フロー図である。３００はデータが入力される処理、３０１は記録フォーマットを指定し分割する処理、３０２はＢＤＭＶで付属データを残さない処理を行った場合のデータの分離処理、３０３は分離した圧縮音声１をデコードする処理、３０４はデコードした音声データを圧縮音声２にエンコードする処理、３０５は分離したＭＰＥＧ２をデコードする処理、３０６はデコードしたＭＰＥＧ２をＨ．２６４にエンコードする処理、３０７はそれらのデータをＢＤＡＶフォーマットに合成する処理、３０８はＢＤＭＶで付属データを残す処理を行った場合のデータの分離処理、３０９は分離した圧縮音声１をデコードする処理、３１０はデコードした音声データを圧縮音声２にエンコードする処理、３１１は分離したＭＰＥＧ２をデコードする処理、３１２はデコードしたＭＰＥＧ２をＨ．２６４にエンコードする処理、３１３は分離した付属データを必要に応じて部分選択するなど抽出し、必要に応じて別の適切なデータ形式に変換するデータ抽出/データ化処理、３１４はそれらのデータをＢＤＡＶフォーマットに合成する処理、３１５は記録装置に記録を行う処理である。
【００１９】
ＢＤＡＶが採用している画像圧縮技術ＭＰＥＧ２は一般的にデジタル放送でも利用され、普及している形式であり、様々な機器での利用が可能である。そのままデータを記録するため、高画質であるが、データ量が大きい。また、ＢＤＭＶが採用している画像圧縮技術Ｈ．２６４は、圧縮効率が高く、記録時間、容量への負荷を軽減できる。しかし、普及率が低く、再生できる機器が限定される。そのため、用途によって利点欠点が明確となる。そのため、例えば今後様々な機器で送信したい場合は、ＢＤＡＶの汎用性の高さを活かしＢＤＡＶでの記録、ネットワーク通信などでＡＶデータを配信する際にはデータ容量が少ないＢＤＭＶを利用するなどの利用が望ましい。そのため、記録する際にどちらかのデータ形式を選択し切り替えて記録することは有用である。
実際に、記録再生装置で記録される際には、デジタル放送などにより送信され、受信された信号が復調回路１０４において復調された後、記録系信号処理回路１０７においてタイミング調整用のデータ負荷や偏重などの必要な信号処理が施されて、必要に応じて圧縮/伸張回路１０６を介し、再度記録系信号処理回路１０７で必要な信号処理を受け、暗号化回路１０８にて暗号化された後、記録再生系記録再生系１０９により記録媒体１１０または記録装置１２９へ記録される。また、デジタル入力端子１０１２より入力されたデジタル信号は記録系信号処理回路１０７においてタイミング調整用のデータ付加や変調などの必要な信号処理が施されて、必要に応じて圧縮/伸張回路１０６を介し、再度記録系信号処理回路１０７で必要な信号処理を受け、暗号化回路１０８にて暗号化された後、記録再生系１０９により記録媒体１１０または記録装置１２９へ記録される。また、アナログ映像入力端子１０１３より入力されたアナログ映像信号と、アナログ音声入力端子１０１４より入力されたアナログ音声信号は、圧縮/伸張回路１０６によって圧縮処理がなされ、記録系信号処理回路１０７を介し、必要に応じて圧縮/伸張回路１０６を介し、再度記録系信号処理回路１０７で必要な信号処理を受け、暗号化回路１０８にて暗号化された後、記録再生系１０９により記録媒体１１０または記録装置１２９へ記録される。その際、制御部１２４または制御部１２４を介しユーザＩ/Ｆにより記録計信号処理回路１０７において記録フォーマットを決定し、圧縮/伸張回路１０６において記録フォーマットに併せた圧縮/伸張を行う。さらに、通信機能１２５から入力されたデジタルデータは記録系信号処理回路１０７を介し、必要に応じて圧縮/伸張回路１０６を介し、再度記録系信号処理回路１０７で必要な  信号処理を受け、暗号化回路１０８にて暗号化された後、記録再生系１０９により記録媒体１１０または記録装置１２９へ記録される。
記録時において、判定処理/分離部２０３、合成部２０４、デコーダ２０５、デコーダ２０６、エンコーダ２０７、エンコーダ２０８の処理は圧縮/伸張回路１０６にて処理する。制御部１２４または制御部１２４を介しユーザＩ/Ｆにより記録系信号処理回路１０７において決定された記録フォーマットに圧縮/伸張すべく、判定処理/分離部２０３において入力されたデータの形式を判断しどちらのフォーマットにするかを判定し、必要(設定やユーザの指定)に応じて分離する。ＢＤＡＶでの記録の場合はそのまま記録装置２０１に記録する。ＢＤＭＶでの記録の場合は映像をデコーダ２０５でデコードし、エンコーダ２０７でエンコードし、音声をデコーダ２０６でデコードし、エンコーダ２０８でエンコードする。また,その際、必要に応じて字幕情報などのメタ情報をはじめとした付属データを分離部２０３で分離し、必要な部分を付録データ抽出/データ化処理部２０９において抽出し、合成可能なデータ形式に変換する。これらの変換したデータを合成部２０４で合成し記録装置２０２に記録する。
【００２０】
この場合における、記録装置/記録媒体は同一装置/媒体でも別の装置/媒体でも記録することができる。記録再生装置でＡＶデータの再生など別の処理が動いている場合においても記録/変換でき、同時または連動させに複数の動作を行うことが出来る。また、動作が少ない時間帯において、自動で行うことも可能である。
【００２１】
これらの処理は図３の処理フロー図のように処理される。ＢＤＡＶでの記録が指定されていた場合、データ入力３００でデータ入力があり、記録フォーマット指定３０１でＢＤＡＶが指定処理され、そのまま記録処理３１５で記録処理を行い記録する。字幕、日付などの付属情報を付加しないＢＤＭＶでの記録が指定されていた場合、データ入力３００でデータ入力があり、記録フォーマット指定３０１でＢＤＭＶならびに付属情報を残さないことを指定/判定し、デマックス３０２でデータを音声と映像に分離し、音声情報をデコード３０３で圧縮音声１をデコードし、エンコード３０４で圧縮音声２にエンコードし、映像情報はデコード３０５でＭＰＥＧ２デコードし、エンコード３０６でＨ．２６４にエンコードし、合成処理３０７で合成処理を行い、記録処理３１５で記録処理を行い記録する。字幕、日付などの付属情報を付加するＢＤＭＶでの記録が指定されていた場合、データ入力３００でデータ入力があり、記録フォーマット指定３０１でＢＤＭＶで付属情報を残すことを指定/判定し、デマックス３０８でデータを音声と映像に分離し、音声情報をデコード３０９で圧縮音声１をデコードし、エンコード３１０で圧縮音声２にエンコードし、映像情報はデコード３１１でＭＰＥＧ２デコードし、エンコード３１２でＨ．２６４にエンコードし、データ抽出/データ化３１３でユーザの指定などにより必要に応じて属性情報を抽出/再データ化し、合成処理３１４で合成処理を行い、記録処理３１５で記録処理を行い記録する。この際の記録フォーマット指定処理３０１は、ユーザの指定、ＡＶデータの送信元、ならびにシステムよってユーザの嗜好性/システム状況を適応的に判断して指定する。
【実施例２】
【００２２】
図４は本実施例における出力/通信時のＢＤＡＶからＢＤＭＶへの画像変換の実施例のブロック図である。４００はデータ出力部、４０１はＢＤＡＶ形式で変換/記録された記録部分、４０２はデータの種類ならびに変換処理についての判定し変換処理に必要な処理を行う合成部、４０３はデータの種類ならびに変換処理についての判定し変換処理に必要な処理を行う判定処理/分離部、４０４はＨ．２６４エンコードを行うエンコーダ、４０５は圧縮音声２エンコードを行うエンコーダ、４０６はＭＰＥＧ２のデコードを行うデコーダ、４０７は圧縮音声１デコードを行うデコーダ、４０８は付属情報を抽出しそれらを変換後に合成できるデータに変換する抽出/データ化処理部である。
【００２３】
図５は本実施例における出力/通信時のＢＤＭＶからＢＤＡＶへの画像変換の実施例のブロック図である。５００はデータ出力部、５０１は記録装置に保存またはユーザの入力等により作成された付録データ部分、５０２はＢＤＭＶ形式で変換/記録された記録部分、５０３はデータの種類ならびに変換処理についての判定し変換処理に必要な処理を行う合成部、５０４はデータの種類ならびに変換処理についての判定し変換処理に必要な処理を行う判定処理/分離部、５０５はＨ．２６４エンコードを行うエンコーダ、５０６は圧縮音声２エンコードを行うエンコーダ、５０７はＭＰＥＧ２のデコードを行うデコーダ、５０８は圧縮音声１デコードを行うデコーダである。
【００２４】
図６は本実施例における出力/通信時のＢＤＡＶからＢＤＭＶへの画像変換の実施例のフロー図である。６００はユーザまたは外部端末によるデータ出力/通信の要求処理、６０１は指定されたデータが記録部分から出力される処理、６０２は記録フォーマットを指定し分割する処理、６０３はＢＤＭＶが指定され付属データを残さない処理を行った場合のデータの分離処理、６０４は分離した圧縮音声１をデコードする処理、６０５はデコードした音声データを圧縮音声２にエンコードする処理、６０６は分離したＭＰＥＧ２をデコードする処理、６０７はデコードした映像データをＨ．２６４にエンコードする処理、６０８はそれらのデータをＢＤＭＶフォーマットに合成する処理、６０９はＢＤＭＶが指定され付属データを残す処理を行った場合のデータの分離処理、６１０は分離した圧縮音声１をデコードする処理、６１１はデコードした音声データを圧縮音声２にエンコードする処理、６１２は分離したＭＰＥＧ２をデコードする処理、６１３はデコードした映像データをＨ．２６４にエンコードする処理、６１４は分離した付属データを必要に応じて部分選択するなど抽出し、必要に応じて別の適切なデータ形式に変換するデータ抽出/データ化処理、６１５はそれらのデータをＢＤＭＶフォーマットに合成する処理、６１６は出力/通信を行う処理である。
【００２５】
図７は本実施例における出力/通信時のＢＤＭＶからＢＤＡＶへの画像変換の実施例のフロー図である。７００はユーザまたは外部端末によるデータ出力/通信の要求処理、７０１は指定されたデータが記録部分から出力される処理、７０２は記録フォーマットを指定し分割する処理、７０３はＢＤＡＶが指定され付属データを残さない処理を行った場合のデータの分離処理、７０４は分離した圧縮音声２をデコードする処理、７０５はデコードした音声データを圧縮音声１にエンコードする処理、７０６は分離したＨ．２６４をデコードする処理、７０７はデコードした映像データをＭＰＥＧ２にエンコードする処理、７０８はそれらのデータをＢＤＡＶフォーマットに合成する処理、７０９はＢＤＡＶが指定され付属データを追加付属する処理を行った場合のデータの分離処理、７１０は分離した圧縮音声２をデコードする処理、７１１はデコードした音声データを圧縮音声１にエンコードする処理、７１２は分離したＨ．２６４をデコードする処理、７１３はデコードした映像データをＭＰＥＧ２にエンコードする処理、７１４は分離した付属データを必要に応じて部分選択するなど抽出し、必要に応じて別の適切なデータ形式に変換するデータ抽出/データ化処理、７１５はそれらのデータをＢＤＡＶフォーマットに合成する処理、７１６は出力/通信を行う処理である。
【００２６】
記録再生装置において、再生時には、ユーザの指示に応じて記録媒体１１０または記録装置１２９から記録再生系１０９を介して読み出された暗号化されたデジタルデータは、復号化回路１１１にて復号化され、再生系信号処理回路１１２において所定の変調方式に則った形式で復調等の再生に必要な信号処理が施され、必要に応じて圧縮/伸張回路１１３で圧縮/伸張処理を行い、切替回路１１４を介して分離回路１１５に送られる。映像復号回路１１６では所定の映像復号処理が施されて、Ｄ／Ａ変換回路１１７においてデジタルデータからアナログ信号への変換が成された後、映像出力端子１１８を介して表示装置１２２のモニタ出力へと表示される。また音声復号回路１１９では所定の音声復号処理が成され、Ｄ／Ａ変換回路１２１においてデジタルデータからアナログ信号への変換が成された後、音声出力端子１２１を介して表示装置１２２の音声出力機構により出力される。さらに、字幕情報等の付属データは分離回路１１５からＯＳＤ作成回路を介して映像出力端子１１８を介して表示装置１２２のモニタ出力へと映像情報と共に表示される。
【００２７】
また、外部端末への送信時には、ユーザならびに外部端末からの指示に応じて制御部１２５で処理を行い、記録媒体１１０または記録装置１２９から記録再生系１０９を介して読み出された暗号化されたデジタルデータは、復号化回路１１１にて非暗号化され、再生系信号処理回路１１２において所定の変調方式に則った形式で復調等の送信に必要な信号処理が施され、必要に応じて圧縮/伸張回路１１３で圧縮/伸張処理を行い、通信処理部１２８を介し通信部１２７で送信される。
【００２８】
判定処理/合成部４０２、分離部４０３、デコーダ４０４、デコーダ４０５、エンコーダ４０７、エンコーダ４０６、付録データ抽出/データ化処理部４０８、付録データ追加処理部５０１、判定処理/合成部５０３、分離部５０４、デコーダ５０５、デコーダ５０７、エンコーダ５０６、エンコーダ５０８の処理は圧縮/伸張回路１０６にて処理する。
【００２９】
ＢＤＡＶで記録されたデータを制御部１２４、または制御部１２４を介しユーザＩ/Ｆ、または外部端末により決定された記録フォーマットに圧縮/伸張すべく、記録再生系記録媒体１１０または記録装置１２９から記録再生系１０９を介して読み出されたデータを分離部４０３におい決定されたデータの形式を判断しどのフォーマットにするかを判定し、必要（設定やユーザの指定）に応じて分離する。ＢＤＡＶでの出力/送信の場合はそのまま出力を行う。ＢＤＭＶでの出力/送信の場合は判定/分離部４０３おいて分離し、映像をデコーダ４０６でデコードし、エンコーダ４０４でエンコード、音声をデコーダ４０７でデコードし、エンコーダ４０５でエンコードする。また、ユーザの選択指定などの必要に応じて付録データ処理部４０８でデータに付録している付録データを抽出し合成可能なデータ形式に変換する。これらの変換したデータを合成部４０２で合成し、４００の出力/送信処理を行う。
【００３０】
ＢＤＭＶで記録されたデータを制御部１２４、または制御部１２４を介しユーザＩ/Ｆ、または外部端末により決定された記録フォーマットに圧縮/伸張すべく、記録再生系記録媒体１１０または記録装置１２９から記録再生系１０９を介して読み出されたデータを分離部５０４において決定されたデータ形式を判断しどのフォーマットにするかを判定し、必要（設定やユーザの指定）に応じて分離する。ＢＤＭＶでの出力/送信の場合はそのまま出力を行う。ＢＤＡＶでの出力/送信の場合は判定/分離部５０４おいて分離し、映像をデコーダ５０７でデコードし、エンコーダ５０５でエンコード、音声をデコーダ５０８でデコードし、エンコーダ５０６でエンコードする。また、付録データ処理部５０１においてユーザの選択指定などの必要に応じて記録されているデータ、またはユーザの入力等から付録データを作成し合成可能なデータ形式に変換する。これらの変換したデータを合成部５０３で合成し、５００の出力/送信処理を行う。
【００３１】
この場合における、記録装置/記録媒体は同一装置/媒体でも別の装置/媒体でも記録することができる。記録再生装置でＡＶデータの再生など別の処理が動いている場合においても記録/変換でき、同時または連動させに複数の動作を行うことが出来る。また、動作が少ない時間帯において、自動で行うことも可能である。
【００３２】
これらの処理は図６．７の処理フロー図のように処理される。指定されたデータがＢＤＡＶだった場合の処理は図６の処理フロー図のように処理される。ＢＤＡＶでの出力の場合、データ出力要求処理６００においてデータ出力要求を行い記録部分から該当するＢＤＡＶデータを出力し、記録フォーマット指定/判定処理部６０２で指定されたフォーマット形式の決定または記録フォーマットの判定をする。ＢＤＡＶが指定/判定された場合はそのままデータ出力処理６１６を行う。記録フォーマット指定/判定処理部６０２でＢＤＭＶで付録データを残さないことが指定/判定された場合、デマックス６０３でデータを音声と映像に分離し、音声情報をデコード６０４で圧縮音声１をデコードし、エンコード６０５で圧縮音声２にエンコードし、映像情報はデコード６０６でＭＰＥＧ２デコードし、エンコード６０７でＨ．２６４にエンコードし、合成処理６０８で合成処理を行い、データ出力処理６１６を行う。記録フォーマット指定/判定処理部６０２で、字幕、日付などの付属情報を付加するＢＤＭＶでの記録が指定/判定された場合、デマックス６０９でデータを音声と映像に分離し、音声情報をデコード６１０で圧縮音声１をデコードし、エンコード６１１で圧縮音声２にエンコードし、映像情報はデコード６１２でＭＰＥＧ２デコードし、エンコード６１３でＨ．２６４にエンコードし、データ抽出/データ化６１４でユーザの指定などにより必要に応じて属性情報を抽出/再データ化し、合成処理６１５で合成処理を行いデータ出力処理６１６を行う。この際の記録フォーマット指定/判定処理６０２は、ユーザの指定、ＡＶデータの送信元、ならびにシステムよってユーザの嗜好性/システム状況を適応的に判断して指定する。
【００３３】
指定されたデータがＢＤＭＶだった場合の処理は図７の処理フロー図のように処理される。ＢＤＭＶでの出力の場合、データ出力要求処理７００においてデータ出力要求を行い記録部分から該当するＢＤＭＶデータを出力し、記録フォーマット指定/判定処理部７０２で指定されたフォーマット形式の決定または記録フォーマットの判定をする。ＢＤＭＶが出力/送信を指定/判定された場合はそのままデータ出力処理７１６を行う。記録フォーマット指定/判定処理部７０２でＢＤＭＶで付録データを残さないことが指定/判定された場合、デマックス７０３でデータを音声と映像に分離し、音声情報をデコード７０４で圧縮音声２をデコードし、エンコード７０５で圧縮音声１にエンコードし、映像情報はデコード７０６でＨ．２６４デコードし、エンコード７０７でＭＰＥＧ２にエンコードし、合成処理７０８で合成処理を行い、データ出力処理７１６を行う。記録フォーマット指定/判定処理部７０２で、字幕、日付などの付属情報を付加するＢＤＡＶでの記録が指定/判定された場合、デマックス７０９でデータを音声と映像に分離し、音声情報をデコード７１０で圧縮音声２をデコードし、エンコード７１１で圧縮音声１にエンコードし、映像情報はデコード７１２でＨ．２６４デコードし、エンコード７１３でＭＰＥＧ２にエンコードし、付録データ付加処理６１４でユーザの指定などにより必要に応じて属性情報を記録部分やユーザによる作成等から抽出し合成できる形式にデータ化し、合成処理７１５で合成処理を行いデータ出力処理７１６を行う。この際の記録フォーマット指定/判定処理７０２は、ユーザの指定、ＡＶデータの送信元、ならびにシステムよってユーザの嗜好性/システム状況を適応的に判断して指定する。
【実施例３】
【００３４】
図８は本実施例における変換時のＢＤＡＶからＢＤＭＶへの画像変換の実施例のブロック図である。８００はデータ入出力部、８０１はＢＤＡＶ形式で記録された記録部分、８０２はＢＤＭＶで記録される記録部分、８０３は変換処理についての判定をし、変換に必要な処理を行う判定処理/分離部、８０４変換処理についての判定をし、変換に必要な処理を行う判定処理/合成部、８０５はＭＰＥＧのデコードを行うデコーダ、８０６は圧縮音声１でコードを行うデコーダ、８０７はＨ．２６４エンコードを行うエンコーダ、８０８は圧縮音声２エンコードを行うエンコーダ、８０９は付録情報を抽出し、変換後に合成できるデータに変換する抽出/データ化処理部である。
【００３５】
図９は本実施例における変換時のＢＤＭＶからＢＤＡＶへの画像変換の実施例のブロック図である。９００はデータ入出力部、９０１はＢＤＭＶ形式で記録された記録部分、９０２はＢＤＡＶで記録される記録部分、９０３は変換処理についての判定をし、変換に必要な処理を行う判定処理/分離部、９０４変換処理についての判定をし、変換に必要な処理を行う判定処理/合成部、９０５はＨ．２６４のデコードを行うデコーダ、９０６は圧縮音声２デコードを行うデコーダ、９０７はＭＰＥＧ４エンコードを行うエンコーダ、９０８は圧縮音声１エンコードを行うエンコーダ、９０９は記録部分やユーザの入力作成などから作成された付録情報を抽出し、変換後に合成できるデータに変換する抽出/データ化処理部である。
【００３６】
記録データ変更時にはユーザならびに外部端末、端末設定からの私事に応じて制御部１２５で処理を行い、記録媒体１１０または記録装置１２９から記録再生系１０９を介して読み出された暗号化されたデジタルデータは、復号化回路１１１で復号化される、再生系信号処理回路１１２を介し、圧縮/伸張回路１１３または１０６において所望の形式に圧縮/伸張され、記録系信号処理回路１０７で必要な変調処理が施されて暗号化回路１０８にて暗号化された後、記録再生系１０９により記録媒体１１０または記録装置１２９に記録される。
【００３７】
これらの処理は図６，７のフローと同様である。各図の出力処理６１６，７１６の処理が記録媒体/記録装置への記録処理となることで実現できる。また、変換処理中バックアップを別の記録媒体/記録装置、同一の記録媒体/記録装置にとることも可能である。
【００３８】
この場合における、記録装置/記録媒体は同一装置/媒体でも別の装置/媒体でも記録することができる。記録再生装置でＡＶデータの再生など別の処理が動いている場合においても記録/変換でき、同時または連動させに複数の動作を行うことが出来る。また、動作が少ない時間帯において、自動で行うことも可能である。
【００３９】
上記実施例によれば例えば、複数のデータ形式の利点(容量、汎用(互換)性)を適応的に利用での複数の記録媒体での再生、編集の容易となる。
【図面の簡単な説明】
【００４０】
【図１】本実施例による記録再生装置の一例を示すブロック図
【図２】本実施例における画像変換の実施例のブロック図
【図３】本実施例における画像変換の実施例の処理フロー図
【図４】本実施例における出力/通信時のＢＤＡＶからＢＤＭＶへの画像変換の実施例のブロック図
【図５】本実施例における出力/通信時のＢＤＭＶからＢＤＡＶへの画像変換の実施例のブロック図
【図６】本実施例における出力/通信時のＢＤＡＶからＢＤＭＶへの画像変換の実施例のフロー図
【図７】本実施例における出力/通信時のＢＤＭＶからＢＤＡＶへの画像変換の実施例のフロー図
【図８】本実施例における変換処理時のＢＤＡＶからＢＤＭＶへの画像変換の実施例のブロック図
【図９】本実施例における変換処理時のＢＤＭＶからＢＤＡＶへの画像変換の実施例のブロック図
【符号の説明】
【００４１】
１００…記録再生装置
１０１１…アンテナ入力
１０１２…デジタル入力
１０１３…アナログ映像
１０１４…アナログ音声
１０２…アナログ/デジタル(A/D)変換回路
１０３…アナログ/デジタル(A/D)変換回路
１０４…復調回路
１０５…分離回路
１０６…圧縮/伸張回路
１０７…記録系信号処理回路
１０８…暗号化回路
１０９…記録再生系
１１０…記録媒体
１１１…復号化回路
１１２…再生系信号処理回路
１１３…圧縮/伸張回路
１１４…切替回路
１１５…分離回路
１１６…復号回路
１１７…デジタル/アナログ(Ｄ/Ａ)変換回路
１１８…出力端子
１１９…復号回路
１２０…デジタル/アナログ(Ｄ/Ａ)変換回路
１２１…出力端子
１２２…表示装置
１２３…ユーザＩ/Ｆ
１２４…制御部
１２５…システムバス
１２６…ＯＳＤ生成部
１２７…通信部
１２８…通信処理部
１２９…記録装置
２００…入出力部
２０１…ＢＤＡＶ記録部
２０２…ＢＤＭＶ記録部
２０３…分離部
２０４…合成部
２０５…ＭＰＥＧ２デコーダ
２０６…圧縮音声１デコーダ
２０７…Ｈ．２６４エンコーダ
２０８…圧縮音声２エンコーダ
２０９…付録データ抽出/データ化部
３００…データ入力処理
３０１…記録フォーマット指定/判定処理
３０２…デマックス
３０３…デコード処理
３０４…エンコード処理
３０５…デコード処理
３０６…エンコード処理
３０７…合成処理
３０８…デマックス
３０９…デコード処理
３１０…エンコード処理
３１１…デコード処理
３１２…エンコード処理
３１３…データ抽出/データ化処理
３１４…合成処理
３１５…記録処理
４００…データ出力部
４０１…ＢＤＡＶ記録部
４０２…合成部
４０３…分離部
４０４…Ｈ．２６４エンコーダ
４０５…圧縮音声２エンコーダ
４０６…ＭＰＥＧ２デコーダ
４０７…圧縮音声１デコーダ
４０８…付録データ抽出/データ化部
５００…データ出力部
５０１…ＢＤＭＶ記録部
５０２…合成部
５０３…分離部
５０４…ＭＰＥＧ２エンコーダ
５０５…圧縮音声１エンコーダ
５０６…Ｈ．２６４デコーダ
５０７…圧縮音声２デコーダ
５０８…付録データ生成部
６００…データ出力要求処理
６０１…データ出力処理  
６０２…記録フォーマット指定/判定
６０３…デマックス処理
６０４…デコード処理
６０５…エンコード処理
６０６…デコード処理
６０７…エンコード処理
６０８…合成処理
６０９…デマックス
６１０…デコード処理
６１１…エンコード処理
６１２…デコード処理
６１３…エンコード処理
６１４…付録データ抽出/データ化処理
６１５…合成処理
６１６…データ出力処理
７００…データ出力要求処理
７０１…データ出力処理  
７０２…記録フォーマット指定/判定
７０３…デマックス処理
７０４…デコード処理
７０５…エンコード処理
７０６…デコード処理
７０７…エンコード処理
７０８…合成処理
７０９…デマックス
７１０…デコード処理
７１１…エンコード処理
７１２…デコード処理
７１３…エンコード処理
７１４…付録データ作成付加処理
７１５…合成処理
７１６…データ出力処理
８００…データ入出力部
８０１…ＢＤＡＶデータ記録部
８０２…ＢＤＭＶデータ記録部
８０３…分離部
８０４…合成部
８０５…ＭＰＥＧ２デコーダ
８０６…圧縮音声１デコーダ
８０７…Ｈ．２６４エンコーダ
８０８…圧縮音声２デコーダ
８０９…付録データ抽出/データ化部
９００…データ入出力部
９０１…ＢＤＭＶデータ記録部
９０２…ＢＤＡＶデータ記録部
９０３…分離部
９０４…合成部
９０５…Ｈ．２６４デコーダ
９０６…圧縮音声２デコーダ
９０７…ＭＰＥＧ２エンコーダ
９０８…圧縮音声１デコーダ
９０９…付録データ抽出/データ化部
【図１】
2007334945.tif 000003
【図２】
2007334945.tif 000004
【図３】
2007334945.tif 000005
【図４】
2007334945.tif 000006
【図５】
2007334945.tif 000007
【図６】
2007334945.tif 000008
【図７】
2007334945.tif 000009
【図８】
2007334945.tif 000010
【図９】
2007334945.tif 000011